【手続補正書】
【提出日】平成18年10月10日(2006.10.10)
【手続補正１】
【補正対象書類名】明細書
【補正対象項目名】特許請求の範囲
【補正方法】変更
【補正の内容】
【特許請求の範囲】
【請求項１】  電源、電源への接続線、パワースイッチ（２０２）、エネルギーを消費する負荷（１０５）、負荷（１０５）への接続線を備える製品のスイッチ装置であって、スイッチ装置は、制御/リセット回路（２０１）、タイマ（２０３）及びユーザインタフェースを含むマイクロチップ（１０３）を備え、ユーザインタフェースは、マイクロチップ（１０３）への少なくとも１つの入力端子に接続された少なくとも１つのスイッチ（１０２）（１０６）(１２１０)を含み、それにより、入力端子からは、スイッチ動作を示す各制御信号がマイクロチップへ入力され、かつ、電源から負荷へエネルギーを伝達する回路内で、入力端子とスイッチとは、直列接続されておらず、スイッチ（１０２）の動作位置や負荷（１０５）の動作状態とは無関係に、マイクロチップに給電するようになっているスイッチ装置において、
ユーザインタフェースは、スイッチである少なくとも１つのタッチセンサを含み、スイッチ装置は、次に示す少なくとも１つの動作を実行するようになっているスイッチ装置。
（ｉ）ユーザインタフェースであるスイッチ（１０２）（１０６）は、アクチベーションスイッチとして用いられ、マイクロチップ（１０３）は、ユーザインタフェースの以前の動作間の期間に基づいて、スイッチオフ機能を選択するようになっており、さらに、マイクロチップ（１０３）は、ユーザインタフェースであるスイッチから入力されるアクチベーション信号の数またはスイッチの動作期間に基づいて、負荷への電力を調節する。
（ｉｉ）マイクロチップ（１０３）（１１１３）は、見ることのできるインジケータ（１１０４）（１４０４）または負荷（１０５）を制御することにより、位置インジケータ機能を制御し、前記インジケータ（１１０４）（１４０４）または負荷（１０５）は、スイッチ（１０２）（１０６）がアクティブとなっていることを少なくとも示すように駆動される。
【請求項２】  マイクロチップは、前記動作（ｉ）を実行するようになっている、請求項１記載のスイッチ装置。
【請求項３】  位置インジケータは、ＬＥＤであり、マイクロチップは、前記動作（ｉｉ）を実行するようになっている、請求項１記載のスイッチ装置。
【請求項４】  マイクロチップは、前記動作（ｉ）（ｉｉ）を実行するようになっている、請求項１記載のスイッチ装置。
【請求項５】  スイッチ装置は、電源（１０１）（１２０４）と、パワースイッチが並列接続されたマイクロチップを有する負荷（１０５）とを接続する回路において、直列接続され、かつ、パワースイッチがオンして、エネルギーを負荷（１０５）に伝達する時に、少なくとも１つのマイクロチップ（１０３）（１４０３）に給電するためのエネルギーストレージデバイス（２０５）（２０７）とタッチセンサであるユーザインタフェースとを備え、エネルギーストレージデバイス（２０５）（２０７）は、適宜再充電されるようになっている、請求項１記載のスイッチ装置。
【請求項６】  電源は、１１０/２２０ＶＡＣ電源であり、マイクロチップは、さらに、ユーザインタフェースであるスイッチのアクチベーションの数に基づいて、負荷への電力を調節し、ユーザインタフェースであるスイッチの動作、すなわち、スイッチのデアクチベーションの以前の期間が所定の期間を過ぎたことに基づいて、スイッチングオフ機能が選択されるようになっている、請求項４記載のスイッチ装置。
【請求項７】  電源は、１１０/２２０ＶＡＣ電源であり、マイクロチップは、さらに、負荷への電力を徐々に調節し、調節機能及びスイッチングオフ機能は、スイッチのアクチベーションの異なる期間に基づいて選択されるようになっている、請求項４記載のスイッチ装置。
【請求項８】  ユーザが負荷をオフした時、マイクロチップは、位置インジケータを駆動する、請求項３記載のスイッチ装置。
【請求項９】  ユーザが負荷をオフした時、マイクロチップは、位置インジケータを駆動する、請求項４記載のスイッチ装置。
【請求項１０】  マイクロチップは、位置インジケータのデューティサイクルを制御する、請求項９記載のスイッチ装置。
【請求項１１】  位置インジケータは、製品が本体に接続されていない時に駆動される、請求項８記載のスイッチ装置。
【請求項１２】  位置インジケータは、製品の異なる状態を示す、請求項８記載のスイッチ装置。
【請求項１３】  ユーザインタフェースは、単一のタッチセンサを備えている、請求項８記載のスイッチ装置。
【請求項１４】  ユーザインタフェースは、単一のタッチセンサを備えている、請求項１２記載のスイッチ装置。
【請求項１５】  マイクロチップは、ユーザインタフェースからのアクチベーション信号に対応して駆動され、アクチベーション信号が入力された後に所定期間だけ自動的にシャットオフする機能を制御するようになっている、請求項８記載のスイッチ装置。
【請求項１６】  少なくとも１つのスイッチは、カーボン被覆された薄膜スイッチまたは押しボタンスイッチである、請求項２記載のスイッチ装置。
【請求項１７】  少なくとも１つのスイッチは、カーボン被覆された薄膜スイッチまたは押しボタンスイッチである、請求項４記載のスイッチ装置。
【請求項１８】  スイッチ（１０２）は、電源と負荷を接続する回路に設けられている、請求項１〜１７のいずれか１つに記載のスイッチ装置。
【請求項１９】  マイクロチップは、ユーザインタフェースからのアクチベーション信号に対応して駆動され、ユーザインタフェースから信号が入力された後に所定期間だけ自動的にシャットオフする機能を制御するようになっている、請求項１〜１７のいずれか１つに記載のスイッチ装置。
【請求項２０】  負荷（１０５）、ＬＥＤ（１１０４）、電球（１２０６）、ＬＥＤ（１４０４）、スイッチ（１２１０）（１０６）（１４０２）、パワースイッチ（２０２）、及びマイクロチップ（１２１２）、（１０３）（１４０３）（１５０３）が接続された、または含まれるハウジング（１２０２）をさらに備えている、請求項１９記載のスイッチ装置。
【請求項２１】  導電性流体がユーザインタフェースに用いられている、請求項１〜１７のいずれか１つに記載のスイッチ装置。
【請求項２２】  導電性材料を含むフレキシブルテープがユーザインタフェースに用いられている、請求項１〜１７のいずれか１つに記載のスイッチ装置。
【請求項２３】  マイクロチップ（１０３）（２０１）（１４０３）（１５０３）は、アドレス情報を有しており、コントローラからのコマンドが入出力されるようになっている、請求項１〜１７のいずれか１つに記載のスイッチ装置。
【請求項２４】  コマンドは、少なくとも１つのアドレスフィールドを含んでいる、請求項２３記載のスイッチ装置。
【請求項２５】  アドレスフィールドは、グローバルコマンドを有している、請求項２４記載のスイッチ装置。
【請求項２６】  コマンドは、パワーラインを介して、マイクロチップに入出力される、請求項２４記載のスイッチ装置。
【請求項２７】  負荷（１０５）は、光源である請求項１〜１７のいずれか１つに記載のスイッチ装置において、
マイクロチップは、電源の断続的な接続により、電力を調節し、電源が光源に接続されていないデッド期間をユーザが容易に気づかないようになっているスイッチ装置。
【請求項２８】  単一の電源が本体に設けられている、請求項１〜１７のいずれか１つに記載のスイッチ装置。
【請求項２９】  負荷（１０５）は、電気モータである、請求項１〜１７のいずれか１つに記載のスイッチ装置。
【請求項３０】  負荷（１０５）は、光源である、請求項１〜１７のいずれか１つに記載のスイッチ装置。
【請求項３１】  負荷（１０５）は、高周波回路である、請求項１〜１７のいずれか１つに記載のスイッチ装置。
【請求項３２】  位置インジケータは、ＬＥＤであり、製品の種々の状態を示すようになっている、請求項１〜１７のいずれか１つに記載のスイッチ装置。
【請求項３３】  マイクロチップは、ユーザインタフェースから入力された３つの電圧レベルのうちの少なくとも１つに基づいて機能を選択するようになっている、請求項１〜１７のいずれか１つに記載のスイッチ装置。
【請求項３４】  ユーザインタフェースであるタッチセンサは、マイクロチップまたはマイクロチップを含む電気回路に対して、単一の電気的接続を必要とする、請求項１〜１７のいずれか１つに記載のスイッチ装置。
【請求項３５】  ユーザインタフェースであるタッチセンサは、マイクロチップまたはマイクロチップを含む電気回路に対して、単一の電気的接続を必要とする、請求項２０記載のスイッチ装置。
【請求項３６】  位置インジケータは、製品の種々の状態を示す請求項１９記載のスイッチ装置。
【請求項３７】  単一のユーザインタフェースは、スイッチである単一のタッチセンサである、請求項１〜１７のいずれか１つに記載のスイッチ装置。
【請求項３８】  電源は、ＤＣ電源であり、製品は、本体の電源に接続されていない、請求項１、請求項３〜５、請求項８〜１７のいずれか１つに記載のスイッチ装置。
【請求項３９】  負荷（１０５）は、電気モータ及びファンであり、電源は、本体にある、請求項１〜１８のいずれか１つに記載のスイッチ装置。
【請求項４０】  製品は、高周波回路を備えている、請求項２４記載のスイッチ装置。